(57)【特許請求の範囲】
【請求項１】
支柱に取付けられたパネルの上方への移動を抑止するための間仕切りパネルの固定金具であって、該固定金具は、前記支柱への取付部と、パネル裏面方向にかつ斜め下向きに延出する弾性辺とを有し、該弾性辺の下部をパネル裏面方向に付勢するとともに、弾性辺の下部にパネル裏面への係合部を設けたことを特徴とする間仕切りパネルの固定金具。
【請求項２】
支柱の見付け面に設けたパネル受け部に上方から引っ掛けるようにしてパネルを係止させた間仕切りパネルの固定構造であって、前記支柱の見込み面に、パネル裏面方向にかつ斜め下向きに延出するとともに、下部にパネル裏面への係合部を有する弾性辺を備えた固定金具を設けたことを特徴とする間仕切りパネルの固定構造。
【発明の詳細な説明】
【０００１】
【発明の属する技術分野】
本発明は、間仕切りパネルの固定金具及び固定構造に関し、詳しくは、支柱の前後見付け面にそれぞれパネルを取付けた間仕切りにおけるパネルの持ち上がりを防止するための固定金具及び固定構造に関する。
【０００２】
【従来の技術及び発明が解決しようとする課題】
間仕切りにおけるパネル（間仕切りパネル）の取付構造として、幅木にパネル受け部を有する支柱を立設し、前記パネル受け部にパネルを引っ掛けるようにして固定するものが知られている。しかし、このような引っ掛け式の構造では、地震等によって間仕切りが上下方向に振動すると、パネルが持ち上がってしまい、間仕切りが歪んだり、パネルが外れ易くなったりすることがあった。
【０００３】
そこで本発明は、間仕切りが上下方向に振動することがあってもパネルの持ち上がりを防止することができる間仕切りパネルの固定金具及び固定構造を提供することを目的としている。
【０００４】
【課題を解決するための手段】
上記目的を達成するため、本発明の間仕切りパネルの固定金具は、支柱に取付けられたパネルの上方への移動を抑止するための間仕切りパネルの固定金具であって、該固定金具は、前記支柱への取付部と、パネル裏面方向にかつ斜め下向きに延出する弾性辺とを有し、該弾性辺の下部をパネル裏面方向に付勢するとともに、弾性辺の下部にパネル裏面への係合部を設けたことを特徴としている。
【０００５】
また、本発明の間仕切りパネルの固定構造は、支柱の見付け面に設けたパネル受け部に上方から引っ掛けるようにしてパネルを係止させた間仕切りパネルの固定構造であって、前記支柱の見込み面に、パネル裏面方向にかつ斜め下向きに延出するとともに、下部にパネル裏面への係合部を有する弾性辺を備えた固定金具を設けたことを特徴としている。
【０００６】
【発明の実施の形態】
図１は、本発明の間仕切りパネルの固定金具の一形態例を示す斜視図、図２乃至図４は、前記固定金具を使用した本発明の間仕切りパネルの固定構造の一形態例を示すもので、図２は間仕切りの要部の一部断面正面図、図３は図２の  ＩＩＩ−ＩＩＩ  線断面図、図４は図２のＩＶ−ＩＶ線断面図である。
【０００７】
まず、図２乃至図４に示すように、間仕切りパネル１は、幅木２の上部に所定間隔で立設した支柱３の両側にそれぞれ取付けられるもので、表面パネル１ａと、その裏面の石膏ボード等の裏打ち材１ｂとにより形成されている。前記支柱３の見付け面の所定位置には、パネル支持用のパネル受け部４が複数個設けられるとともに、間仕切りパネル１の両側縁部内側辺には、前記パネル受け部４に対応した引っ掛け部（図示せず）が設けられており、間仕切りパネル１は、この引っ掛け部をパネル受け部４に上方から引っ掛けるように係止させた状態で支柱３に取付けられる。
【０００８】
そして、前後の間仕切りパネル１，１に挟まれた支柱３の見込み面中央には、適当な高さ位置に上下方向のスリット３ａが設けられており、このスリット３ａに、間仕切りパネル１の上方への移動を抑止するための固定金具１１が取付けられている。この固定金具１１は、図１にも示すように、所定形状に打抜き加工したバネ性を有する金属製薄板を所定形状に折曲げて形成したものであって、Ｖ字状に形成された基板部１２と、該基板部１２の両辺頂部からパネル裏面方向にハの字状に斜め下向きに延出した弾性辺１３とからなるもので、両パネル方向が同一の対称形状に形成されている。
【０００９】
前記基板部１２の一端には、前記支柱３のスリット３ａに固定金具１１を取付けるための取付部１４が設けられている。この取付部１４は、基板部１２の一端に、スリット３ａの長さよりも上下寸法が短い括れ部１５を介してスリット３ａの長さよりも上下寸法が長い係止片１６を設けたもので、前記括れ部１５を形成する上下の嵌合溝１５ａ，１５ｂの溝幅は、支柱３の板厚に対応した寸法に形成されている。
【００１０】
また、前記弾性辺１３は、基板部１２の両辺頂部に水平辺部１７及び垂直辺部１８を介して連設しており、弾性辺１３の先端には、ギザギザに形成されたパネル裏面への係合部１９が設けられている。両側の係合部１９の間隔は、支柱３に取付けられた間仕切りパネル１，１の裏面間隔よりも広く設定されている。
【００１１】
このような形状の固定金具１１は、前記垂直辺部１８を両側から摘んで基板部１２及び取付部１４同士を合わせるようにした状態で、図２に想像線で示すように、スリット３ａに対して斜め下方から係止片１６の上部をスリット３ａ内に挿入した後、固定金具１１を回動させて係止片１６の下部をスリット３ａ内に挿入し、次いで固定金具１１を下方に移動させることにより、前記嵌合溝１５ａ，１５ｂの両側の基板部１２と係止片１６とで支柱３の側壁を挟んだ状態となり、固定金具１１が支柱３の所定位置に取付けられる。この状態で垂直辺部１８を離すと、基板部１２等に元のＶ字状に広がろうとする復元力が発生し、固定金具１１が強固に固着された状態となる。
【００１２】
上述のようにして固定金具１１を支柱３に取付けた後、間仕切りパネル１を支柱３に引っ掛けるようにして取付けると、パネル裏面は、斜め下向きに延出した弾性辺１３を内側に変形させながら下方に移動し、所定位置に下降した状態で、弾性辺１３の復元力によって係合部１９がパネル裏面の裏打ち材１ｂに係合した状態となり、間仕切りパネル１が上方に移動して持ち上がるのを防止することができる。
【００１３】
このように、固定金具１１を支柱３に取付ける以外のパネル取付け作業は、従来と同様にして行うことができるので、簡単な部品及び作業を追加するだけで間仕切りパネル１の上方への移動を確実に防止することができる。
【００１４】
なお、固定金具１１は、間仕切りパネルの大きさなどに応じて支柱３に複数個設けてもよく、取付ける位置も適宜設定すればよい。また、固定金具１１をビス等によって支柱３に固着することもできるが、ネジ止め等の作業が必要となる。
【００１５】
【発明の効果】
以上説明したように、本発明によれば、地震等によって間仕切りに上下方向の力が作用しても、間仕切りパネルが持ち上がることがなく、間仕切りが歪んだり、間仕切りパネルが外れ易くなることを防止できる。
【図面の簡単な説明】
【図１】本発明の固定金具の一形態例を示す斜視図である。
【図２】本発明の間仕切りパネルの固定構造の一形態例を示す要部の一部断面正面図である。
【図３】図２の  ＩＩＩ−ＩＩＩ  線断面図である。
【図４】図２のＩＶ−ＩＶ線断面図である。
【符号の説明】
１…間仕切りパネル、１ａ…表面パネル、１ｂ…裏打ち材、２…幅木、３…支柱、３ａ…スリット、４…パネル受け部、１１…固定金具、１２…基板部、１３…弾性辺、１４…取付部、１５…括れ部、１５ａ，１５ｂ…嵌合溝、１６…係止片、１７…水平辺部、１８…垂直辺部、１９…係合部
【図１】
0003618957.tif 000002
【図２】
0003618957.tif 000003
【図３】
0003618957.tif 000004
【図４】
0003618957.tif 000005